(57)【特許請求の範囲】
【請求項１】
表示パネルであって、
第１方向にアレイ状に配列される少なくとも２つアレイユニットが設置される表示領域と、
前記表示領域の一方側に設置される非表示領域と、を含み、
前記アレイユニットは、
少なくとも１つの第１画素行と、少なくとも１つの第１充電走査線と、少なくとも１つの第１電荷共有走査線と、少なくとも１つの第２画素行と、少なくとも１つの第２充電走査線と、少なくとも１つの第２電荷共有走査線と、少なくとも１つの第３画素行と、少なくとも１つの第３充電走査線と、少なくとも１つの第３電荷共有走査線と、少なくとも１つの第４画素行と、少なくとも１つの第４充電走査線と、少なくとも１つの第４電荷共有走査線と、少なくとも１つの第５画素行と、少なくとも１つの第５充電走査線と、少なくとも１つの第５電荷共有走査線と、少なくとも１つの第６画素行と、少なくとも１つの第６充電走査線と、少なくとも１つの第６電荷共有走査線と、を含み、
前記第１充電走査線及び前記第１電荷共有走査線は、何れも前記第１画素行に接続され、
前記第２充電走査線及び前記第２電荷共有走査線は、何れも前記第２画素行に接続され、
前記第３充電走査線及び前記第３電荷共有走査線は、何れも前記第３画素行に接続され、
前記第４充電走査線及び前記第４電荷共有走査線は、何れも前記第４画素行に接続され、
前記第５充電走査線及び前記第５電荷共有走査線は、何れも前記第５画素行に接続され、
前記第６充電走査線及び前記第６電荷共有走査線は、何れも前記第６画素行に接続され、
前記第１方向は、前記第１画素行が位置する直線と垂直になり、
前記第１画素行、前記第２画素行、前記第３画素行、前記第４画素行、前記第５画素行及び前記第６画素行は、前記第１方向に順次に配列され、
前記非表示領域には、少なくとも１つの第１検出線と、少なくとも１つの第２検出線と、少なくとも１つの第３検出線とが設置され、
前記第１検出線、前記第２検出線及び前記第３検出線は、何れも前記表示領域に接続され、
前記第１充電走査線、前記第２充電走査線、前記第３充電走査線、前記第４充電走査線、前記第５充電走査線、前記第６充電走査線の何れかは、第１番号に対応する電荷共有走査線に接続され、
前記第１検出線、前記第２検出線及び前記第３検出線の何れかは、第２番号に対応する電荷共有走査線に接続され、
前記第１番号は、画素行に対応する番号と、２以上の偶数である第１所定値との和であり、
前記第２番号は、画素行に対応する番号と、３以上の奇数である第２所定値との和であり、
前記非表示領域における少なくとも１つの前記第１検出線、少なくとも１つの前記第２検出線及び少なくとも１つの前記第３検出線により、短絡バーが構成され、
前記短絡バーが位置する直線の方向は、前記第１方向と平行になることを特徴とする表示パネル。
【請求項２】
前記第１所定値は２であり、前記第２所定値は３であることを特徴とする請求項１に記載の表示パネル。
【請求項３】
前記第１電荷共有走査線は、前記第３充電走査線に接続され、
前記第２電荷共有走査線は、前記第４充電走査線に接続され、
前記第３電荷共有走査線は、前記第５充電走査線に接続され、
前記第４電荷共有走査線は、前記第６充電走査線に接続され、
前記第５電荷共有走査線は、前記第１方向において隣接する他のアレイユニットにおける第１充電走査線に接続され、
前記第６電荷共有走査線は、前記第１方向において隣接する他のアレイユニットにおける第２充電走査線に接続されることを特徴とする請求項２に記載の表示パネル。
【請求項４】
前記第１充電走査線は、前記第１方向とは逆方向において隣接する他のアレイユニットにおける第５電荷共有走査線に接続され、
前記第２充電走査線は、前記第１方向とは逆方向において隣接する他のアレイユニットにおける第６電荷共有走査線に接続されることを特徴とする請求項３に記載の表示パネル。
【請求項５】
前記第１検出線は、前記第１電荷共有走査線及び前記第４電荷共有走査線に接続され、
前記第２検出線は、前記第３電荷共有走査線及び前記第６電荷共有走査線に接続され、
前記第３検出線は、前記第２電荷共有走査線及び前記第５電荷共有走査線に接続されることを特徴とする請求項３に記載の表示パネル。
【請求項６】
前記第１所定値は４であり、前記第２所定値は３であることを特徴とする請求項１に記載の表示パネル。
【請求項７】
前記第１電荷共有走査線は、前記第５充電走査線に接続され、
前記第２電荷共有走査線は、前記第６充電走査線に接続され、
前記第３電荷共有走査線は、前記第１方向において隣接する他のアレイユニットにおける第１充電走査線に接続され、
前記第４電荷共有走査線は、前記第１方向において隣接する他のアレイユニットにおける第２充電走査線に接続され、
前記第５電荷共有走査線は、前記第１方向において隣接する他のアレイユニットにおける第３充電走査線に接続され、
前記第６電荷共有走査線は、前記第１方向において隣接する他のアレイユニットにおける第４充電走査線に接続されることを特徴とする請求項６に記載の表示パネル。
【請求項８】
前記第１充電走査線は、前記第１方向とは逆方向において隣接する他のアレイユニットにおける第３電荷共有走査線に接続され、
前記第２充電走査線は、前記第１方向とは逆方向において隣接する他のアレイユニットにおける第４電荷共有走査線に接続され、
前記第３充電走査線は、前記第１方向とは逆方向において隣接する他のアレイユニットにおける第５電荷共有走査線に接続され、
前記第４充電走査線は、前記第１方向とは逆方向において隣接する他のアレイユニットにおける第６電荷共有走査線に接続されることを特徴とする請求項７に記載の表示パネル。
【請求項９】
前記第１検出線は、前記第２電荷共有走査線及び前記第５電荷共有走査線に接続され、
前記第２検出線は、前記第１電荷共有走査線及び前記第４電荷共有走査線に接続され、
前記第３検出線は、前記第３電荷共有走査線及び前記第６電荷共有走査線に接続されることを特徴とする請求項７に記載の表示パネル。
【請求項１０】
表示パネルであって、
第１方向にアレイ状に配列される少なくとも２つアレイユニットが設置される表示領域と、
前記表示領域の一方側に設置される非表示領域と、を含み、
前記アレイユニットは、
少なくとも１つの第１画素行と、少なくとも１つの第１充電走査線と、少なくとも１つの第１電荷共有走査線と、少なくとも１つの第２画素行と、少なくとも１つの第２充電走査線と、少なくとも１つの第２電荷共有走査線と、少なくとも１つの第３画素行と、少なくとも１つの第３充電走査線と、少なくとも１つの第３電荷共有走査線と、少なくとも１つの第４画素行と、少なくとも１つの第４充電走査線と、少なくとも１つの第４電荷共有走査線と、少なくとも１つの第５画素行と、少なくとも１つの第５充電走査線と、少なくとも１つの第５電荷共有走査線と、少なくとも１つの第６画素行と、少なくとも１つの第６充電走査線と、少なくとも１つの第６電荷共有走査線と、を含み、
前記第１充電走査線及び前記第１電荷共有走査線は、何れも前記第１画素行に接続され、
前記第２充電走査線及び前記第２電荷共有走査線は、何れも前記第２画素行に接続され、
前記第３充電走査線及び前記第３電荷共有走査線は、何れも前記第３画素行に接続され、
前記第４充電走査線及び前記第４電荷共有走査線は、何れも前記第４画素行に接続され、
前記第５充電走査線及び前記第５電荷共有走査線は、何れも前記第５画素行に接続され、
前記第６充電走査線及び前記第６電荷共有走査線は、何れも前記第６画素行に接続され、
前記第１方向は、前記第１画素行の位置する直線と垂直になり、
前記第１画素行、前記第２画素行、前記第３画素行、前記第４画素行、前記第５画素行及び前記第６画素行は、前記第１方向に順次に配列され、
前記非表示領域には、少なくとも１つの第１検出線と、少なくとも１つの第２検出線と、少なくとも１つの第３検出線とが設置され、
前記第１検出線、前記第２検出線及び前記第３検出線は、何れも前記表示領域に接続され、
前記第１充電走査線、前記第２充電走査線、前記第３充電走査線、前記第４充電走査線、前記第５充電走査線、前記第６充電走査線の何れかは、第１番号に対応する電荷共有走査線に接続され、
前記第１検出線、前記第２検出線、前記第３検出線の何れかは、第２番号に対応する電荷共有走査線に接続され、
前記第１番号は、画素行に対応する番号と、２以上の偶数である第１所定値との和であり、
前記第２番号は、画素行に対応する番号と、３以上の奇数である第２所定値との和であることを特徴とする表示パネル。
【請求項１１】
前記第１所定値は２であり、前記第２所定値は３であることを特徴とする請求項１０に記載の表示パネル。
【請求項１２】
前記第１電荷共有走査線は、前記第３充電走査線に接続され、
前記第２電荷共有走査線は、前記第４充電走査線に接続され、
前記第３電荷共有走査線は、前記第５充電走査線に接続され、
前記第４電荷共有走査線は、前記第６充電走査線に接続され、
前記第５電荷共有走査線は、前記第１方向において隣接する他のアレイユニットにおける第１充電走査線に接続され、
前記第６電荷共有走査線は、前記第１方向において隣接する他のアレイユニットにおける第２充電走査線に接続されることを特徴とする請求項１１に記載の表示パネル。
【請求項１３】
前記第１充電走査線は、前記第１方向とは逆方向において隣接する他のアレイユニットにおける第５電荷共有走査線に接続され、
前記第２充電走査線は、前記第１方向とは逆方向において隣接する他のアレイユニットにおける第６電荷共有走査線に接続されることを特徴とする請求項１２に記載の表示パネル。
【請求項１４】
前記第１検出線は、前記第１電荷共有走査線及び前記第４電荷共有走査線に接続され、
前記第２検出線は、前記第３電荷共有走査線及び前記第６電荷共有走査線に接続され、
前記第３検出線は、前記第２電荷共有走査線及び前記第５電荷共有走査線に接続されることを特徴とする請求項１２に記載の表示パネル。
【請求項１５】
前記第１所定値は４であり、前記第２所定値は３であることを特徴とする請求項１０に記載の表示パネル。
【請求項１６】
前記第１電荷共有走査線は、前記第５充電走査線に接続され、
前記第２電荷共有走査線は、前記第６充電走査線に接続され、
前記第３電荷共有走査線は、前記第１方向において隣接する他のアレイユニットにおける第１充電走査線に接続され、
前記第４電荷共有走査線は、前記第１方向において隣接する他のアレイユニットにおける第２充電走査線に接続され、
前記第５電荷共有走査線は、前記第１方向において隣接する他のアレイユニットにおける第３充電走査線に接続され、
前記第６電荷共有走査線は、前記第１方向において隣接する他のアレイユニットにおける第４充電走査線に接続されることを特徴とする請求項１５に記載の表示パネル。
【請求項１７】
前記第１充電走査線は、前記第１方向とは逆方向において隣接する他のアレイユニットにおける第３電荷共有走査線に接続され、
前記第２充電走査線は、前記第１方向とは逆方向において隣接する他のアレイユニットにおける前記第４電荷共有走査線に接続され、
前記第３充電走査線は、前記第１方向とは逆方向において隣接する他のアレイユニットにおける前記第５電荷共有走査線に接続され、
前記第４充電走査線は、前記第１方向とは逆方向において隣接する他のアレイユニットにおける前記第６電荷共有走査線に接続されることを特徴とする請求項１６に記載の表示パネル。
【請求項１８】
前記第１検出線は、前記第２電荷共有走査線及び前記第５電荷共有走査線に接続され、
前記第２検出線は、前記第１電荷共有走査線及び前記第４電荷共有走査線に接続され、
前記第３検出線は、前記第３電荷共有走査線及び前記第６電荷共有走査線に接続されることを特徴とする請求項１６に記載の表示パネル。
【請求項１９】
前記非表示領域における少なくとも１つの前記第１検出線、少なくとも１つの前記第２検出線及び少なくとも１つの前記第３検出線により、短絡バーが構成され、
前記短絡バーが位置する直線の方向は、前記第１方向と平行になることを特徴とする請求項１０に記載の表示パネル。
【発明の詳細な説明】
【技術分野】
【０００１】
本発明は、表示技術領域に関し、特に、表示パネルに関する。
【背景技術】
【０００２】
従来の表示パネルの配線設計では、通常、画素領域の外側に短絡バー／短絡棒（Ｓｈｏｒｔｉｎｇ  Ｂａｒ）の外囲配線を設置し、走査線を奇数（ＯＤＤ）及び偶数（ＥＶＥＮ）で外囲配線に引き出し、すなわち、表示パネル全体の奇数の走査線及び偶数の走査線を表示パネルの外囲においてそれぞれ短絡させるようにする。このような設計により、ＴＦＴ（Ｔｈｉｎ  Ｆｉｌｍ  Ｔｒａｎｓｉｓｔｏｒ，薄膜トランジスタ）の製造工程における検出操作において、奇数の走査線及び偶数の走査線に異なる電気信号を送信することで表示パネルに短絡または断線があるか否かを検出する。さらに、この様な設計により、異なるデータ信号を組み合わせると、他の不良を検出することもできる。また、短絡バーは、液晶セル（Ｃｅｌｌ）の製造工程における点灯検出操作に用いられ、検出後に切断されたり除去されたりする。こうすることで、完成品の通常表示に影響を与えることがない。
図１に示すように、同一行の充電走査線（Ｃｈａｒｇｅ  Ｇａｔｅ  Ｌｉｎｅ／Ｃｈａｒｇｅ  Ｓｃａｎ  Ｌｉｎｅ）１０３と電荷共有走査線（Ｓｈａｒｅ  Ｇａｔｅ  Ｌｉｎｅ／Ｓｈａｒｅ  Ｓｃａｎ  Ｌｉｎｅ）１０４との間に短絡（第２短絡位置１０２または第１短絡位置１０１）がある場合には、電荷共有走査線が次のＮ＋偶数目の充電走査線に接続され（Ｎが正整数である）、両者が何れも順番的に奇数または偶数になる。このため、上記のような、奇数または偶数で引き出される短絡バーによる検出形態は、ＴＦＴの製造工程において短絡現象を検出することができず、Ｃｅｌｌ点灯、さらに、完成品に対する検出形態でしか短絡現象を検出することができない。その結果、製品の歩留まりを低下させることになる。
したがって、上記の問題を解決するために、新たな技術案が必要となる。
【発明の概要】
【０００３】
本発明は、上記の問題を解決するために、短絡現象を効率よくかつ正確に検出することができ、歩留まりが向上可能な表示パネルを提供することにある。
【０００４】
上記目的を達成するために、本発明の一実施形態に係る表示パネルは、第１方向にアレイ状に配列される少なくとも２つアレイユニットが設置される表示領域と、前記表示領域の一方側に設置される非表示領域と、を含む。前記アレイユニットは、少なくとも１つの第１画素行と、少なくとも１つの第１充電走査線と、少なくとも１つの第１電荷共有走査線と、少なくとも１つの第２画素行と、少なくとも１つの第２充電走査線と、少なくとも１つの第２電荷共有走査線と、少なくとも１つの第３画素行と、少なくとも１つの第３充電走査線と、少なくとも１つの第３電荷共有走査線と、少なくとも１つの第４画素行と、少なくとも１つの第４充電走査線と、少なくとも１つの第４電荷共有走査線と、少なくとも１つの第５画素行と、少なくとも１つの第５充電走査線と、少なくとも１つの第５電荷共有走査線と、少なくとも１つの第６画素行と、少なくとも１つの第６充電走査線と、少なくとも１つの第６電荷共有走査線と、を含む。前記第１充電走査線及び前記第１電荷共有走査線は、何れも前記第１画素行に接続される。前記第２充電走査線及び前記第２電荷共有走査線は、何れも前記第２画素行に接続される。  前記第３充電走査線及び前記第３電荷共有走査線は、何れも前記第３画素行に接続される。前記第４充電走査線及び前記第４電荷共有走査線は、何れも前記第４画素行に接続される。前記第５充電走査線及び前記第５電荷共有走査線は、何れも前記第５画素行に接続される。前記第６充電走査線及び前記第６電荷共有走査線は、何れも前記第６画素行に接続される。前記第１方向は、前記第１画素行が位置する直線と垂直になる。前記第１画素行、前記第２画素行、前記第３画素行、前記第４画素行、前記第５画素行及び前記第６画素行は、前記第１方向に順次に配列される。前記非表示領域には、少なくとも１つの第１検出線と、少なくとも１つの第２検出線と、少なくとも１つの第３検出線とが設置される。前記第１検出線、前記第２検出線及び前記第３検出線は、何れも前記表示領域に接続される。前記第１充電走査線、前記第２充電走査線、前記第３充電走査線、前記第４充電走査線、前記第５充電走査線、前記第６充電走査線の何れかは、第１番号に対応する電荷共有走査線に接続される。前記第１検出線、前記第２検出線及び前記第３検出線の何れかは、第２番号に対応する電荷共有走査線に接続される。前記第１番号は、画素行に対応する番号と、２以上の偶数である第１所定値との和である。前記第２番号は、画素行に対応する番号と、３以上の奇数である第２所定値との和である。前記非表示領域における少なくとも１つの前記第１検出線、少なくとも１つの前記第２検出線及び少なくとも１つの前記第３検出線により、短絡バーが構成される。前記短絡バーが位置する直線の方向は、前記第１方向と平行になる。
上記の表示パネルでは、前記第１所定値は２であり、前記第２所定値は３である。
【０００５】
上記の表示パネルでは、前記第１電荷共有走査線は、前記第３充電走査線に接続される。前記第２電荷共有走査線は、前記第４充電走査線に接続される。前記第３電荷共有走査線は、前記第５充電走査線に接続される。前記第４電荷共有走査線は、前記第６充電走査線に接続される。前記第５電荷共有走査線は、前記第１方向において隣接する他のアレイユニットにおける第１充電走査線に接続される。前記第６電荷共有走査線は、前記第１方向において隣接する他のアレイユニットにおける第２充電走査線に接続される。
【０００６】
上記の表示パネルでは、前記第１充電走査線は、前記第１方向とは逆方向において隣接する他のアレイユニットにおける第５電荷共有走査線に接続される。前記第２充電走査線は、前記第１方向とは逆方向において隣接する他のアレイユニットにおける第６電荷共有走査線に接続される。
【０００７】
上記の表示パネルでは、前記第１検出線は、前記第１電荷共有走査線及び前記第４電荷共有走査線に接続される。前記第２検出線は、前記第３電荷共有走査線及び前記第６電荷共有走査線に接続される。前記第３検出線は、前記第２電荷共有走査線及び前記第５電荷共有走査線に接続される。
【０００８】
上記の表示パネルでは、前記第１所定値は４であり、前記第２所定値は３である。
【０００９】
上記の表示パネルでは、前記第１電荷共有走査線は、前記第５充電走査線に接続される。前記第２電荷共有走査線は、前記第６充電走査線に接続される。前記第３電荷共有走査線は、前記第１方向において隣接する他のアレイユニットにおける第１充電走査線に接続される。前記第４電荷共有走査線は、前記第１方向において隣接する他のアレイユニットにおける第２充電走査線に接続される。前記第５電荷共有走査線は、前記第１方向において隣接する他のアレイユニットにおける第３充電走査線に接続される。前記第６電荷共有走査線は、前記第１方向において隣接する他のアレイユニットにおける第４充電走査線に接続される。
【００１０】
上記の表示パネルでは、前記第１充電走査線は、前記第１方向とは逆方向において隣接する他のアレイユニットにおける第３電荷共有走査線に接続される。前記第２充電走査線は、前記第１方向とは逆方向において隣接する他のアレイユニットにおける第４電荷共有走査線に接続される。前記第３充電走査線は、前記第１方向とは逆方向において隣接する他のアレイユニットにおける第５電荷共有走査線に接続される。前記第４充電走査線は、前記第１方向とは逆方向において隣接する他のアレイユニットにおける第６電荷共有走査線に接続される。
【００１１】
上記の表示パネルでは、前記第１検出線は、前記第２電荷共有走査線及び前記第５電荷共有走査線に接続される。前記第２検出線は、前記第１電荷共有走査線及び前記第４電荷共有走査線に接続される。前記第３検出線は、前記第３電荷共有走査線及び前記第６電荷共有走査線に接続される。
【００１２】
本発明の他の実施形態に係る表示パネルは、第１方向にアレイ状に配列される少なくとも２つアレイユニットが設置される表示領域と、前記表示領域の一方側に設置される非表示領域と、を含む。前記アレイユニットは、少なくとも１つの第１画素行と、少なくとも１つの第１充電走査線と、少なくとも１つの第１電荷共有走査線と、少なくとも１つの第２画素行と、少なくとも１つの第２充電走査線と、少なくとも１つの第２電荷共有走査線と、少なくとも１つの第３画素行と、少なくとも１つの第３充電走査線と、少なくとも１つの第３電荷共有走査線と、少なくとも１つの第４画素行と、少なくとも１つの第４充電走査線と、少なくとも１つの第４電荷共有走査線と、少なくとも１つの第５画素行と、少なくとも１つの第５充電走査線と、少なくとも１つの第５電荷共有走査線と、少なくとも１つの第６画素行と、少なくとも１つの第６充電走査線と、少なくとも１つの第６電荷共有走査線と、を含む。前記第１充電走査線及び前記第１電荷共有走査線は、何れも前記第１画素行に接続される。前記第２充電走査線及び前記第２電荷共有走査線は、何れも前記第２画素行に接続される。前記第３充電走査線及び前記第３電荷共有走査線は、何れも前記第３画素行に接続される。前記第４充電走査線及び前記第４電荷共有走査線は、何れも前記第４画素行に接続される。前記第５充電走査線及び前記第５電荷共有走査線は、何れも前記第５画素行に接続される。前記第６充電走査線及び前記第６電荷共有走査線は、何れも前記第６画素行に接続される。前記第１方向は、前記第１画素行の位置する直線と垂直になる。前記第１画素行、前記第２画素行、前記第３画素行、前記第４画素行、前記第５画素行及び前記第６画素行は、前記第１方向に順次に配列される。前記非表示領域には、少なくとも１つの第１検出線と、少なくとも１つの第２検出線と、少なくとも１つの第３検出線とが設置される。前記第１検出線、前記第２検出線及び前記第３検出線は、何れも前記表示領域に接続される。
【００１３】
上記の表示パネルでは、前記第１充電走査線、前記第２充電走査線、前記第３充電走査線、前記第４充電走査線、前記第５充電走査線、前記第６充電走査線の何れかは、第１番号に対応する電荷共有走査線に接続される。前記第１検出線、前記第２検出線、前記第３検出線の何れかは、第２番号に対応する電荷共有走査線に接続される。前記第１番号は、画素行に対応する番号と、２以上の偶数である第１所定値との和である。前記第２番号は、画素行に対応する番号と、３以上の奇数である第２所定値との和である。
【００１４】
上記の表示パネルでは、前記第１所定値は２であり、前記第２所定値は３である。
【００１５】
上記の表示パネルでは、前記第１電荷共有走査線は、前記第３充電走査線に接続される。前記第２電荷共有走査線は、前記第４充電走査線に接続される。前記第３電荷共有走査線は、前記第５充電走査線に接続される。前記第４電荷共有走査線は、前記第６充電走査線に接続される。前記第５電荷共有走査線は、前記第１方向において隣接する他のアレイユニットにおける第１充電走査線に接続される。前記第６電荷共有走査線は、前記第１方向において隣接する他のアレイユニットにおける第２充電走査線に接続される。
【００１６】
上記の表示パネルでは、前記第１充電走査線は、前記第１方向とは逆方向において隣接する他のアレイユニットにおける第５電荷共有走査線に接続される。前記第２充電走査線は、前記第１方向とは逆方向において隣接する他のアレイユニットにおける第６電荷共有走査線に接続される。
【００１７】
上記の表示パネルでは、前記第１検出線は、前記第１電荷共有走査線及び前記第４電荷共有走査線に接続される。前記第２検出線は、前記第３電荷共有走査線及び前記第６電荷共有走査線に接続される。前記第３検出線は、前記第２電荷共有走査線及び前記第５電荷共有走査線に接続される。
【００１８】
上記の表示パネルでは、前記第１所定値は４であり、前記第２所定値は３である。
【００１９】
上記の表示パネルでは、前記第１電荷共有走査線は、前記第５充電走査線に接続される。前記第２電荷共有走査線は、前記第６充電走査線に接続される。前記第３電荷共有走査線は、前記第１方向において隣接する他のアレイユニットにおける第１充電走査線に接続される。前記第４電荷共有走査線は、前記第１方向において隣接する他のアレイユニットにおける第２充電走査線に接続される。前記第５電荷共有走査線は、前記第１方向において隣接する他のアレイユニットにおける第３充電走査線に接続される。前記第６電荷共有走査線は、前記第１方向において隣接する他のアレイユニットにおける第４充電走査線に接続される。
【００２０】
上記の表示パネルでは、前記第１充電走査線は、前記第１方向とは逆方向において隣接する他のアレイユニットにおける第３電荷共有走査線に接続される。前記第２充電走査線は、前記第１方向とは逆方向において隣接する他のアレイユニットにおける前記第４電荷共有走査線に接続される。前記第３充電走査線は、前記第１方向とは逆方向において隣接する他のアレイユニットにおける前記第５電荷共有走査線に接続される。前記第４充電走査線は、前記第１方向とは逆方向において隣接する他のアレイユニットにおける前記第６電荷共有走査線に接続される。
【００２１】
上記の表示パネルでは、前記第１検出線は、前記第２電荷共有走査線及び前記第５電荷共有走査線に接続される。前記第２検出線は、前記第１電荷共有走査線及び前記第４電荷共有走査線に接続される。前記第３検出線は、前記第３電荷共有走査線及び前記第６電荷共有走査線に接続される。
【００２２】
上記の表示パネルでは、前記非表示領域における少なくとも１つの前記第１検出線、少なくとも１つの前記第２検出線及び少なくとも１つの前記第３検出線により、短絡バーが構成される。前記短絡バーが位置する直線の方向は、前記第１方向と平行になる。
【発明の効果】
【００２３】
従来技術と比べて、本発明に係る表示パネルによれば、同一の画素行に対応する充電走査線と電荷共有走査線との間に短絡がある場合、表示パネルのＴＦＴの製造工程において短絡を検出することができるため、表示パネル内での短絡の検出効率及び検出精度の向上に有利であると同時に、表示パネルの歩留まりの向上を図り、表示パネルの製造コストを低減することができる。
【００２４】
本発明についての技術内容が一層明確に理解されるよう、以下に実施形態を例示し、図面を参照しながら、詳細に説明する。
【図面の簡単な説明】
【００２５】
【図１】従来の表示パネルを示す図である。
【図２】本発明の第１実施形態に係る表示パネルを示す図である。
【図３】本発明の第２実施形態に係る表示パネルを示す図である。
【発明を実施するための形態】
【００２６】
以下、図面を参照しながら各実施例を説明し、本発明の実施可能な具体的な実施例を例示する。
【００２７】
図２は、本発明の第１実施形態に係る表示パネルを示す図である。
【００２８】
本実施形態に係る表示パネルは、ＬＣＤ（Ｌｉｑｕｉｄ  Ｃｒｙｓｔａｌ  Ｄｉｓｐｌａｙ，液晶表示装置）、ＯＬＥＤ（Ｏｒｇａｎｉｃ  Ｌｉｇｈｔ  Ｅｍｉｔｔｉｎｇ  Ｄｉｏｄｅ，有機発光ダイオード）などの表示装置であってもよい。
【００２９】
本実施形態に係る表示パネルは、表示領域（Ａｃｔｉｖｅ  Ａｒｅａ）２０１及び少なくとも１つの非表示領域２０２を含む。非表示領域２０２は、表示領域２０１の一方側に位置する。例えば、２つの非表示領域２０２は、表示領域２０１の両側にそれぞれ設置される。表示パネルには、画素アレイが設置される。画素アレイは、表示領域２０１に位置する。画素アレイは、画素からなる。
【００３０】
詳細には、表示領域２０１には、第１方向２０３にアレイ状に配列される少なくとも２つのアレイユニット（２０１１，２０１２）が設置される。
【００３１】
アレイユニット２０１１は、少なくとも１つの第１画素行Ｐ（Ｎ−３）、少なくとも１つの第１充電（Ｃｈａｒｇｉｎｇ）走査線（Ｓｃａｎ  Ｌｉｎｅ）Ｃ（Ｎ−３）、及び少なくとも１つの第１電荷共有（Ｓｈａｒｉｎｇ）走査線を含む。なお、第１充電走査線Ｃ（Ｎ−３）及び第１電荷共有走査線Ｓ（Ｎ−３）は、何れも第１画素行Ｐ（Ｎ−３）に接続される。第１画素行Ｐ（Ｎ−３）は、少なくとも１つの第１画素を含む。第１画素は、第１メイン画素部（Ｍａｉｎ  Ｐｉｘｅｌ）及び第１サブ画素部（Ｓｕｂ  Ｐｉｘｅｌ）を含む。第１充電走査線Ｃ（Ｎ−３）は、第１メイン画素部または第１サブ画素部の一方に接続され、第１電荷共有走査線Ｓ（Ｎ−３）は、第１メイン画素部または第１サブ画素部の他方に接続される。ここでは、Ｎが正整数である。
【００３２】
アレイユニット２０１１は、少なくとも１つの第２画素行Ｐ（Ｎ−２）、少なくとも１つの第２充電走査線Ｃ（Ｎ−２）及び少なくとも１つの第２電荷共有走査線Ｓ（Ｎ−２）をさらに含む。なお、第２充電走査線Ｃ（Ｎ−２）及び第２電荷共有走査線Ｓ（Ｎ−２）は、何れも第２画素行Ｐ（Ｎ−２）に接続される。第２画素行Ｐ（Ｎ−２）は、少なくとも１つの第２画素を含む。第２画素は、第２メイン画素部及び第２サブ画素部を含む。第２充電走査線Ｃ（Ｎ−２）は、第２メイン画素部または第２サブ画素部の一方に接続され、第２電荷共有走査線Ｓ（Ｎ−２）は、第２メイン画素部または第２サブ画素部の他方に接続される。例えば、第２充電走査線Ｃ（Ｎ−２）が第２メイン画素部に接続されるとともに第２電荷共有走査線Ｓ（Ｎ−２）が第２サブ画素部に接続されるか、または第２充電走査線Ｃ（Ｎ−２）が第２サブ画素部に接続されるとともに第２電荷共有走査線Ｓ（Ｎ−２）が第２メイン画素部に接続される。
【００３３】
アレイユニット２０１１は、少なくとも１つの第３画素行Ｐ（Ｎ−１）、少なくとも１つの第３充電走査線Ｃ（Ｎ−１）及び少なくとも１つの第３電荷共有走査線Ｓ（Ｎ−１）をさらに含む。第３充電走査線Ｃ（Ｎ−１）及び第３電荷共有走査線Ｓ（Ｎ−１）は、何れも第３画素行Ｐ（Ｎ−１）に接続される。第３画素行Ｐ（Ｎ−１）は、少なくとも１つの第３画素を含む。第３画素は、第３メイン画素部及び第３サブ画素部を含む。第３充電走査線Ｃ（Ｎ−１）は、第３メイン画素部または第３サブ画素部の一方に接続され、第３電荷共有走査線Ｓ（Ｎ−１）は、第３メイン画素部または第３サブ画素部の他方に接続される。
【００３４】
アレイユニット２０１１は、少なくとも１つの第４画素行Ｐ（Ｎ）、少なくとも１つの第４充電走査線Ｃ（Ｎ）及び少なくとも１つの第４電荷共有走査線Ｓ（Ｎ）をさらに含む。第４充電走査線Ｃ（Ｎ）及び第４電荷共有走査線Ｓ（Ｎ）は、何れも第４画素行Ｐ（Ｎ）に接続される。第４画素行Ｐ（Ｎ）は、少なくとも１つの第４画素を含む。第４画素は、第４メイン画素部及び第４サブ画素部を含む。第４充電走査線Ｃ（Ｎ）は、第４メイン画素部または第４サブ画素部の一方に接続され、第４電荷共有走査線Ｓ（Ｎ）は、第４メイン画素部または第４サブ画素部の他方に接続される。
【００３５】
アレイユニット２０１１は、少なくとも１つの第５画素行Ｐ（Ｎ＋１）、少なくとも１つの第５充電走査線Ｃ（Ｎ＋１）及び少なくとも１つの第５電荷共有走査線Ｓ（Ｎ＋１）をさらに含む。第５充電走査線Ｃ（Ｎ＋１）及び第５電荷共有走査線Ｓ（Ｎ＋１）は、何れも第５画素行Ｐ（Ｎ＋１）に接続される。第５画素行Ｐ（Ｎ＋１）は、少なくとも１つの第５画素を含む。第５画素は、第５メイン画素部及び第５サブ画素部を含む。第５充電走査線Ｃ（Ｎ＋１）は、第５メイン画素部または第５サブ画素部の一方に接続され、第５電荷共有走査線Ｓ（Ｎ＋１）は、第５メイン画素部または第５サブ画素部の他方に接続される。
【００３６】
アレイユニット２０１１は、少なくとも１つの第６画素行Ｐ（Ｎ＋２）、少なくとも１つの第６充電走査線Ｃ（Ｎ＋２）及び少なくとも１つの第６電荷共有走査線Ｓ（Ｎ＋２）をさらに含む。第６充電走査線Ｃ（Ｎ＋２）及び第６電荷共有走査線Ｓ（Ｎ＋２）は、何れも第６画素行Ｐ（Ｎ＋２）に接続される。第６画素行Ｐ（Ｎ＋２）は、少なくとも１つの第６画素を含む。第６画素は、第６メイン画素部及び第６サブ画素部を含む。第６充電走査線Ｃ（Ｎ＋２）は、第６メイン画素部または第６サブ画素部の一方に接続され、第６電荷共有走査線Ｓ（Ｎ＋２）は、第６メイン画素部または第６サブ画素部の他方に接続される。
【００３７】
第１方向２０３は、第１画素行Ｐ（Ｎ−３）が位置する直線と垂直になる。第１画素行Ｐ（Ｎ−３）、第２画素行Ｐ（Ｎ−２）、第３画素行Ｐ（Ｎ−１）、第４画素行Ｐ（Ｎ）、第５画素行Ｐ（Ｎ＋１）及び第６画素行Ｐ（Ｎ＋２）は、第１方向２０３に順次に配列される。
前記非表示領域２０２には、少なくとも１つの第１検出線２０２１、少なくとも１つの第２検出線２０２２、及び少なくとも１つの第３検出線２０２３が設置される。なお、第１検出線２０２１、第２検出線２０２２及び第３検出線２０２３は、何れも表示領域２０１に接続される。第１検出線２０２１、第２検出線２０２２及び第３検出線２０２３は、第２方向にアレイ状に配列される。なお、第２方向は、第１方向２０３と垂直になる。
【００３８】
本実施形態では、アレイユニット２０１１は、第１方向２０３において隣接する他のアレイユニット２０１２に接続される。また、アレイユニット２０１１は、第１方向２０３とは逆方向において隣接する他のアレイユニットにも接続される。
【００３９】
非表示領域２０２における少なくとも１つの第１検出線２０２１、少なくとも１つの第２検出線２０２２、及び少なくとも１つの第３検出線２０２３により、短絡バー（Ｓｈｏｒｔｉｎｇ  Ｂａｒ）が構成される。短絡バーが位置する直線の方向は、第１方向２０３と平行になる。すなわち、第１検出線２０２１、第２検出線２０２２及び第３検出線２０２３が位置する直線は、第１方向２０３と平行になる。
【００４０】
本実施形態において、第１充電走査線Ｃ（Ｎ−３）、第２充電走査線Ｃ（Ｎ−２）、第３充電走査線Ｃ（Ｎ−１）、第４充電走査線Ｃ（Ｎ）、第５充電走査線Ｃ（Ｎ＋１）及び第６充電走査線Ｃ（Ｎ＋２）の何れかは、第１番号に対応する電荷共有走査線に接続される。第１検出線２０２１、第２検出線２０２２及び第３検出線２０２３の何れかは、第２番号に対応する電荷共有走査線に接続される。
【００４１】
なお、画素行は、第１画素行Ｐ（Ｎ−３）、第２画素行Ｐ（Ｎ−２）、第３画素行Ｐ（Ｎ−１）、第４画素行Ｐ（Ｎ）、第５画素行Ｐ（Ｎ＋１）、第６画素行Ｐ（Ｎ＋２）の何れかである。充電走査線は、第１充電走査線Ｃ（Ｎ−３）、第２充電走査線Ｃ（Ｎ−２）、第３充電走査線Ｃ（Ｎ−１）、第４充電走査線Ｃ（Ｎ）、第５充電走査線Ｃ（Ｎ＋１）、第６充電走査線Ｃ（Ｎ＋２）の何れかである。電荷共有走査線は、第１電荷共有走査線Ｓ（Ｎ−３）、第２電荷共有走査線Ｓ（Ｎ−２）、第３電荷共有走査線Ｓ（Ｎ−１）、第４電荷共有走査線Ｓ（Ｎ）、第５電荷共有走査線Ｓ（Ｎ＋１）、第６電荷共有走査線Ｓ（Ｎ＋２）の何れかである。
【００４２】
また、第１番号は、画素行に対応する番号と第１所定値との和である。なお、第１所定値は、２以上の偶数であり、例えば、２、４、６、８・・・などである。第２番号は、画素行に対応する番号と第２所定値との和である。なお、第２所定値は、３以上の奇数であり、例えば、３、５、７、９・・・などである。
【００４３】
第１充電走査線Ｃ（Ｎ−３）、第２充電走査線Ｃ（Ｎ−２）、第３充電走査線Ｃ（Ｎ−１）、第４充電走査線Ｃ（Ｎ）、第５充電走査線Ｃ（Ｎ＋１）及び第６充電走査線Ｃ（Ｎ＋２）は、複数の第１集合に分けられる。第１集合の数は、第２所定値である。例えば、第２所定値が３の場合、各第１集合における充電走査線の数は２となる。同一の第１集合における充電走査線は、何れも同一の充電走査線に接続される。第１方向２０３において隣接する、第２所定値となる個数（例えば、３つ）の充電走査線は、それぞれ異なる検出線に接続される。なお、検出線は、第１検出線２０２１、第２検出線２０２２、第３検出線２０２３の何れかである。
【００４４】
同様に、第１電荷共有走査線Ｓ（Ｎ−３）、第２電荷共有走査線Ｓ（Ｎ−２）、第３電荷共有走査線Ｓ（Ｎ−１）、第４電荷共有走査線Ｓ（Ｎ）、第５電荷共有走査線Ｓ（Ｎ＋１）及び第６電荷共有走査線Ｓ（Ｎ＋２）は、第２所定値となる個数の第２集合に分けられる。例えば、第２所定値が３の場合、各第２集合における電荷共有走査線の数は２となる。同一の第２集合における電荷共有走査線は、何れも同一の電荷共有走査線に接続される。第１方向２０３において隣接する、第２所定値となる個数（例えば、３つ）の充電走査線は、それぞれ異なる検出線に接続される。
【００４５】
本実施形態では、第１所定値が２、第２所定値が３であることを例示して説明する。
【００４６】
詳細には、第１電荷共有走査線Ｓ（Ｎ−３）は、第３充電走査線Ｃ（Ｎ−１）に接続される。第２電荷共有走査線Ｓ（Ｎ−２）は、第４充電走査線Ｃ（Ｎ）に接続される。第３電荷共有走査線Ｓ（Ｎ−１）は、第５充電走査線Ｃ（Ｎ＋１）に接続される。第４電荷共有走査線Ｓ（Ｎ）は、第６充電走査線Ｃ（Ｎ＋２）に接続される。第５電荷共有走査線Ｓ（Ｎ＋１）は、第１方向２０３において隣接する他のアレイユニット２０１２における第１充電走査線Ｃ（Ｎ＋３）に接続される。第６電荷共有走査線Ｓ（Ｎ＋２）は、第１方向２０３において隣接する他のアレイユニット２０１２における第２充電走査線Ｃ（Ｎ＋４）に接続される。
【００４７】
本実施形態において、第１充電走査線Ｃ（Ｎ−３）は、第１方向２０３とは逆方向において隣接する他のアレイユニットにおける第５充電走査線Ｓ（Ｎ−５）に接続される。第２充電走査線Ｃ（Ｎ−２）は、第１方向２０３とは逆方向において隣接する他のアレイユニットにおける第６充電走査線Ｓ（Ｎ−４）に接続される。
【００４８】
本実施形態において、第１検出線２０２１は、第１電荷共有走査線Ｓ（Ｎ−３）及び第４電荷共有走査線Ｓ（Ｎ）に接続される。第２検出線２０２２は、第３電荷共有走査線Ｓ（Ｎ−１）及び第６電荷共有走査線Ｓ（Ｎ＋２）に接続される。第３検出線２０２３は、第２電荷共有走査線Ｓ（Ｎ−２）及び第５電荷共有走査線Ｓ（Ｎ＋１）に接続される。
【００４９】
本実施形態において、同一の画素行に対応する充電走査線と電荷共有走査線との間に短絡がある場合、表示パネルのＴＦＴの製造工程において短絡を検出することができるため、表示パネル内での短絡の検出効率及び検出精度の向上に有利であると同時に、表示パネルの歩留まりの向上を図り、表示パネルの製造コストを低減することができる。
【００５０】
図２に示すように、表示パネルでは、Ｎ＋２の充電（Ｃｈａｒｇｉｎｇ）共有（Ｓｈａｒｉｎｇ）のブリッジ接続方式で画素を設計し、画素の周囲に３つの独立した短絡バー（Ｓｈｏｒｉｎｇ  Ｂａｒ）配線部２０２１、２０２２、２０２３を設置し、走査線（充電走査線／電荷共有走査線）を３セットに分けるとともに、隣接する３つの走査線を異なる短絡バー配線部に引き出す。すなわち、図３に示すように、Ｃ（Ｎ−１）、Ｃ（Ｎ＋２）、Ｃ（Ｎ＋５）等の走査線を第１検出線２０２１に引き出し、Ｃ（Ｎ−２）、Ｃ（Ｎ＋１）、Ｃ（Ｎ＋４）等の走査線を第２検出線２０２２に引き出し、Ｃ（Ｎ−３）、Ｃ（Ｎ）、Ｃ（Ｎ＋３）等の走査線を第３検出線２０２３に引き出す。こうすることで、任意の行の充電走査線（Ｃｈａｒｇｉｎｇ）と電荷共有走査線（Ｓｈａｒｉｎｇ）との間の短絡は、第１検出線２０２１、第２検出線２０２２及び第３検出線２０２３うちの２つの短絡バーによって検出されることができ、ＴＦＴ（Ｔｈｉｎ  Ｆｉｌｍ  Ｔｒａｎｓｉｓｔｏｒ，薄膜トランジスタ）の製造工程に対する検出率を高め、製品の歩留まりを向上させて製造コストを低減することができる。
【００５１】
図３は、本発明の第２実施形態に係る表示パネルを示す図である。第２実施形態は、上記の第１実施形態と類似するが、第１所定値が４、第２所定値が３であることで第１実施形態と相違する。
【００５２】
詳細には、第１電荷共有走査線Ｓ（Ｎ−３）は、第５充電走査線Ｃ（Ｎ＋１）に接続される。第２電荷共有走査線Ｓ（Ｎ−２）は、第６充電走査線Ｃ（Ｎ＋２）に接続される。第３電荷共有走査線Ｓ（Ｎ−１）は、第１方向２０３において隣接する他のアレイユニット２０１２における第１充電走査線Ｃ（Ｎ＋３）に接続される。第４電荷共有走査線Ｓ（Ｎ）は、第１方向２０３において隣接する他のアレイユニット２０１２における第２充電走査線Ｃ（Ｎ＋４）に接続される。第５電荷共有走査線Ｓ（Ｎ＋１）は、第１方向２０３において隣接する他のアレイユニット２０１２における第３充電走査線Ｃ（Ｎ＋５）に接続される。第６電荷共有走査線Ｓ（Ｎ＋２）は、第１方向２０３において隣接する他のアレイユニット２０１２における第４充電走査線Ｃ（Ｎ＋６）に接続される。
【００５３】
本実施形態において、第１充電走査線Ｃ（Ｎ−３）は、第１方向２０３とは逆方向において隣接する他のアレイユニットにおける第３電荷共有走査線Ｓ（Ｎ−７）に接続される。第２充電走査線Ｃ（Ｎ−２）は、第１方向２０３とは逆方向において隣接する他のアレイユニットにおける第４電荷共有走査線Ｓ（Ｎ−６）に接続される。第３充電走査線Ｃ（Ｎ−１）は、第１方向２０３とは逆方向において隣接する他のアレイユニットにおける第５電荷共有走査線Ｓ（Ｎ−５）に接続される。第４充電走査線Ｃ（Ｎ）は、第１方向２０３とは逆方向において隣接する他のアレイユニットにおける第６電荷共有走査線Ｓ（Ｎ−４）に接続される。
【００５４】
本実施形態において、第１検出線２０２１は、第２電荷共有走査線Ｓ（Ｎ−２）及び第５電荷供給走査線Ｓ（Ｎ＋１）に接続される。第２検出線２０２２は、第１電荷共有走査線Ｓ（Ｎ−３）及び第４電荷共有走査線Ｓ（Ｎ）に接続される。第３検出線２０２３は、第３電荷共有走査線Ｓ（Ｎ−１）及び第６電荷共有走査線Ｓ（Ｎ＋２）に接続される。
【００５５】
図３に示すように、表示パネルでは、Ｎ＋４の充電共有のブリッジ接続方式で画素を設計し、画素の周囲に３つの独立した短絡バー（Ｓｈｏｒｉｎｇ  Ｂａｒ）配線部２０２１、２０２２、２０２３を設置し、走査線（充電走査線／電荷共有走査線）を３セットに分けるとともに、隣接する３つの走査線を異なる短絡バー配線部に引き出す。すなわち、図３に示すように、Ｃ（Ｎ−１）、Ｃ（Ｎ＋２）、Ｃ（Ｎ＋５）等の走査線を第１検出線２０２１に引き出し、Ｃ（Ｎ−２）、Ｃ（Ｎ＋１）、Ｃ（Ｎ＋４）等の走査線を第２検出線２０２２に引き出し、Ｃ（Ｎ−３）、Ｃ（Ｎ）、Ｃ（Ｎ＋３）等の走査線を第３検出線２０２３に引き出す。こうすることで、任意の行の充電走査線と電荷共有走査線との間の短絡は、第１検出線２０２１、第２検出線２０２２及び第３検出線２０２３うちの２つの短絡バーによって検出されることができ、ＴＦＴの製造工程に対する検出率を高め、製品の歩留まりを向上させて製造コストを低減することができる。
【００５６】
以上より、本発明の好適な実施形態を前述の通り開示したが、これらは決して本発明を限定するものではない。当業者であれば、本発明の精神及び範囲を含む各種の変動や潤色は、本発明の保護を求める範囲内に属するものであることを理解されたい。
【図１】
0006408034.tif 000002
【図２】
0006408034.tif 000003
【図３】
0006408034.tif 000004